(57)【要約】【課題】停電時に、容易に蓄電装置を充電可能なＬＥＤ保安灯を提供する。【解決手段】ＬＥＤ保安灯１は、前面７ａに太陽電池パネル９、背面８ａにコンセントのプラグ挿入口に挿入されるプラグ栓刃１０，１０、一側面７ｂに発光ダイオード１１をそれぞれ配設している略箱状のユニット体２と、ユニット体２内に収容された充電装置３および蓄電手段４と、太陽電池パネル９および充電装置３のいずれか一方と蓄電手段４とを接続させる充電切換手段５と、蓄電手段４を電源として発光ダイオード１１を点灯させる点灯手段６とを具備している。【選択図】図１
2006280086.tif 000002
【特許請求の範囲】
【請求項１】
前面に太陽電池パネル、背面にコンセントのプラグ挿入口に挿入されるプラグ栓刃、一側面に発光ダイオードをそれぞれ配設している略箱状のユニット体と；
ユニット体内に収容され、入力側がプラグ栓刃に接続されていてプラグ栓刃に交流電圧が印加されることにより直流電圧を発生して出力する充電装置と；
ユニット体内に収容され、太陽電池パネルまたは充電装置から出力された直流電圧により充電される蓄電手段と；
太陽電池パネルおよび充電装置のいずれか一方と蓄電手段とを接続させる充電切換手段と；
蓄電手段を電源として発光ダイオードを点灯させる点灯手段と；
を具備していることを特徴とするＬＥＤ保安灯。
【請求項２】
前面に太陽電池パネルおよび背面にコンセントのプラグ挿入口に挿入されるプラグ栓刃をそれぞれ配設している略箱状の第１のユニット体と、前面に発光ダイオードおよび背面に太陽電池パネルをそれぞれ配設している略箱状の第２のユニット体と、第１のユニット体の前面および第２のユニット体の背面が重なり合うように第１および第２のユニット体を開閉自在にするヒンジとを備えたユニット本体と；
第１または第２のユニット体内に収容され、入力側がプラグ栓刃に接続されていてプラグ栓刃に交流電圧が印加されることにより直流電圧を発生して出力する充電装置と；
第１または第２のユニット体内に収容され、太陽電池パネルまたは充電装置から出力された直流電圧により充電される蓄電手段と；
太陽電池パネルおよび充電装置のいずれか一方と蓄電手段とを接続させる充電切換手段と；
蓄電手段を電源として発光ダイオードを点灯させる点灯手段と；
を具備していることを特徴とするＬＥＤ保安灯。
【請求項３】
前面に太陽電池パネルおよび明るさセンサ、下面に発光ダイオードをそれぞれ配設しているとともに、上側端部側にコンセントを配設しているコンセント本体の被係止部に着脱可能に係止される係止部を有してなり、この係止部が前記被係止部に係止されることにより背面がコンセントを覆うように形成されている略箱状のカバー体と；
カバー体内に収容され、太陽電池パネルにより充電される蓄電手段と；
蓄電手段を電源として発光ダイオードを点灯させる手動点灯手段と；
明るさセンサが所定の明るさ以下を検出したときに、蓄電手段を電源として発光ダイオードを点灯させる自動点灯手段と；
を具備していることを特徴とするＬＥＤ保安灯。
【請求項４】
明るさセンサは、下側開口を有する遮光フードにより覆われていることを特徴とする請求項３記載のＬＥＤ保安灯。
【発明の詳細な説明】
【技術分野】
【０００１】
本発明は、携帯可能なＬＥＤ保安灯に関する。
【背景技術】
【０００２】
保安灯は、廊下や階段などの足元を照らす常夜灯、停電時などの非常用光源、または門柱灯などの屋外用照明灯などとして使用され、その用途は多岐に亘っている。そして、コンセントに脱着するプラグ刃を備え、携帯可能な保安灯が提供されている(例えば、非特許文献１参照。)。この保安灯は、コンセントに差し込んだ状態で、停電時に自動点灯する非常灯機能、周囲が暗くなったときに自動点灯するナイトライト機能を有し、コンセントから取り外すことにより携帯電灯として利用できるものである。近年、保安灯は、停電や地震などの災害時の携帯電灯としてのニーズが高まってきている。
【非特許文献１】東芝  配線器具・インターホン  ２００４年カタログ（Ｐ．配−５３）
【発明の開示】
【発明が解決しようとする課題】
【０００３】
従来の保安灯は、携帯時、プラグ刃を介してコンセントから充電された蓄電装置を電源として光源が点灯するものである。したがって、蓄電装置の電荷を使い切ると、携帯電灯としての機能が有しなくなる。そして、停電時においては、コンセントから充電することができないという問題がある。
【０００４】
なお、特開２００３−３０３５０１号公報において、少なくとも蓄電装置および発光ダイオードを具備した脱着可能な照明装置によって一部、または全部が構成されている照明表示装置が提案されている。そして、当該照明装置を停電や地震などの災害時に可搬型の照明装置として使用できるとともに、蓄電装置を充電する電源に少なくとも太陽電池を用いることが開示されている。しかし、当該照明装置は、太陽電池などがなければ蓄電装置を充電することができず、太陽電池などを別途準備しておく必要があるという欠点を有している。
【０００５】
本発明は、停電時に、容易に蓄電装置を充電可能なＬＥＤ保安灯を提供することを目的とする。
【課題を解決するための手段】
【０００６】
請求項１に記載のＬＥＤ保安灯の発明は、前面に太陽電池パネル、背面にコンセントのプラグ挿入口に挿入されるプラグ栓刃、一側面に発光ダイオードをそれぞれ配設している略箱状のユニット体と；ユニット体内に収容され、入力側がプラグ栓刃に接続されていてプラグ栓刃に交流電圧が印加されることにより直流電圧を発生して出力する充電装置と；ユニット体内に収容され、太陽電池パネルまたは充電装置から出力された直流電圧により充電される蓄電手段と；太陽電池パネルおよび充電装置のいずれか一方と蓄電手段とを接続させる充電切換手段と；蓄電手段を電源として発光ダイオードを点灯させる点灯手段と；を具備していることを特徴とする。
【０００７】
本発明および以下の各発明において、特に言及しない限り、各構成は以下による。
【０００８】
プラグ栓刃は、ユニット体の背面から突出されるものであるが、コンセントから取り外されたときに可動させてユニット体内に収納されてもよい。
【０００９】
蓄電手段は、繰り返し充放電可能な二次電池機能を有するものであればよく、例えばバッテリ、二重電気層コンデンサなどで構成することができる。
【００１０】
発光ダイオードの数量は、特に問わない。
【００１１】
本発明によれば、通常時、プラグ栓刃がコンセントのプラグ挿入口に挿入されていると、蓄電手段は、充電装置を介して交流電源から充電される。そして、停電時に、充電切換手段により太陽電池パネルと蓄電手段とを接続させ、ユニット体の前面に配設された太陽電池パネルを太陽光に曝すことにより、蓄電手段は、太陽電池パネルから充電される。蓄電手段が電源を供給しなくなったときに太陽電池パネルを太陽光に曝すことにより、発光ダイオードを点灯させる電源が継続して確保される。
【００１２】
請求項２に記載のＬＥＤ保安灯の発明は、前面に太陽電池パネルおよび背面にコンセントのプラグ挿入口に挿入されるプラグ栓刃をそれぞれ配設している略箱状の第１のユニット体と、前面に発光ダイオードおよび背面に太陽電池パネルをそれぞれ配設している略箱状の第２のユニット体と、第１のユニット体の前面および第２のユニット体の背面が重なり合うように第１および第２のユニット体を開閉自在にするヒンジとを備えたユニット本体と；第１または第２のユニット体内に収容され、入力側がプラグ栓刃に接続されていてプラグ栓刃に交流電圧が印加されることにより直流電圧を発生して出力する充電装置と；第１または第２のユニット体内に収容され、太陽電池パネルまたは充電装置から出力された直流電圧により充電される蓄電手段と；太陽電池パネルおよび充電装置のいずれか一方と蓄電手段とを接続させる充電切換手段と；蓄電手段を電源として発光ダイオードを点灯させる点灯手段と；を具備していることを特徴とする。
【００１３】
本発明によれば、通常時、第１および第２のユニット体は閉じられる。プラグ栓刃がコンセントのプラグ挿入口に挿入されると、蓄電手段は、充電装置を介して交流電源から充電される。そして、停電時に、第１および第２のユニット体を開いて、充電切換手段により太陽電池パネルと蓄電手段とを接続させ、第１および第２のユニット体の各太陽電池パネルを太陽光に曝すことにより、蓄電手段は、太陽電池パネルから充電される。蓄電手段が電源を供給しなくなったときに太陽電池パネルを太陽光に曝すことにより、発光ダイオードを点灯させる電源が継続して確保される。
【００１４】
請求項３に記載のＬＥＤ保安灯の発明は、前面に太陽電池パネルおよび明るさセンサ、下面に発光ダイオードをそれぞれ配設しているとともに、上側端部側にコンセントを配設しているコンセント本体の被係止部に着脱可能に係止される係止部を有してなり、この係止部が前記被係止部に係止されることにより背面がコンセントを覆うように形成されている略箱状のカバー体と；カバー体内に収容され、太陽電池パネルにより充電される蓄電手段と；蓄電手段を電源として発光ダイオードを点灯させる手動点灯手段と；明るさセンサが所定の明るさ以下を検出したときに、蓄電手段を電源として発光ダイオードを点灯させる自動点灯手段と；を具備していることを特徴とする。
【００１５】
本発明によれば、カバー体がコンセント本体に取り付けられているときに、自動点灯手段により発光ダイオードが点灯することにより、周囲が暗くなったときのコンセント本体の位置が視認される。そして、カバー体をコンセント本体から取り外して手動点灯手段により発光ダイオードを点灯させることにより、ＬＥＤ保安灯は携帯電灯として使用される。
【００１６】
請求項４に記載のＬＥＤ保安灯の発明は、請求項３記載のＬＥＤ保安灯において、明るさセンサは、下側開口を有する遮光フードにより覆われていることを特徴とする。
【００１７】
本発明によれば、遮光フードは、上方の照明器具からの照明光が明るさセンサに入光することを阻止するので、明るさセンサにより自然光による明るさが検出される。
【発明の効果】
【００１８】
請求項１の発明によれば、通常時、プラグ栓刃をコンセントのプラグ挿入口に挿入することにより保安灯として使用でき、停電や地震などの災害時に、コンセントから取り外して携帯電灯として使用できるとともに、蓄電手段を太陽電池パネルから充電することにより、発光ダイオードを点灯させる電源を継続的に確保することができる。
【００１９】
請求項２の発明によれば、通常時、プラグ栓刃をコンセントのプラグ挿入口に挿入することにより保安灯として使用でき、停電や地震などの災害時に、コンセントから取り外して携帯電灯として使用できるとともに、第１および第２のユニット体を開いて、蓄電手段を太陽電池パネルから充電することにより、発光ダイオードを点灯させる電源を継続的に確保することができる。
【００２０】
請求項３の発明によれば、カバー体をコンセント本体に取り付けることにより、コンセント本体の防滴プレートとして使用できるとともに、停電や地震などの災害時に、カバー体をコンセント本体から取り外して携帯電灯として使用できるとともに、蓄電手段を太陽光に曝した太陽電池パネルから充電することにより、発光ダイオードを点灯させる電源を継続的に確保することができる。
【００２１】
請求項４の発明によれば、カバー体がコンセント本体に取り付けられているときに、明るさセンサは、遮光フードにより照明器具からの照明光が入光されずに自然光による明るさを検出するので、周囲が暗くなったときに自動点灯手段により発光ダイオードを点灯することができて、コンセント本体の位置を視認させることができる。
【発明を実施するための最良の形態】
【００２２】
以下、本発明の一実施の形態について、図面を参照して説明する。まず、本発明の第１の実施形態について説明する。
【００２３】
図１ないし図４は、本発明の第１の実施形態を示し、図１はＬＥＤ保安灯の概略斜視図を示し、（ａ）は正面図、（ｂ）は背面図、図２はＬＥＤ保安灯の回路図、図３はＬＥＤ保安灯をコンセント本体に取り付けた状態図、図４は太陽光による充電方法を示す状態図である。
【００２４】
図１および図２において、ＬＥＤ保安灯１は、ユニット体２、充電装置３、蓄電手段としてのバッテリ４、充電切換手段としての充電用切換スイッチ５および点灯手段を構成する点灯用切換スイッチ６を有して構成されている。
【００２５】
ユニット体２は、それぞれ略箱状の第１のユニット体７および第２のユニット体８を合体させて形成され、前面に段差ができるようにそれぞれの縦方向の長さを異ならせている。そして、第１のユニット体７の前面７ａに太陽電池パネル９が配設され、第２のユニット体８の背面８ａにコンセントのプラグ挿入口に挿入される一対のプラグ栓刃１０，１０が配設されている。
【００２６】
さらに、第１のユニット体７の一側面としての下側側面７ｂに複数の発光ダイオード（ＬＥＤ）１１が配設されている。発光ダイオード１１は、透光性の樹脂、例えばエポキシ樹脂１２で覆われている。また、第１のユニット体７の側面７ｃに充電用切換スイッチ５、点灯用切換スイッチ６およびナイトライト用切換スイッチ１３が配設されている。これらの切換スイッチ５，６，１３は、図中、黒く塗りつぶしている方がオン状態を示している。
【００２７】
充電装置３は、ユニット体２内に収容され、図２に示すように、整流装置１４および平滑用コンデンサＣ１からなる整流平滑回路１５と、平滑用コンデンサＣ１の正極側に接続された限流用の抵抗Ｒ１を有して構成されている。そして、整流装置１４の入力側がプラグ栓刃１０，１０に接続されている。充電装置３は、プラグ栓刃１０，１０がコンセントのプラグ挿入口に挿入されて、プラグ栓刃１０，１０に交流電圧（ＡＣ１００Ｖ）が印加されることにより、平滑用コンデンサＣ１の両端間に直流電圧が発生して出力する。
【００２８】
平滑用コンデンサＣ１の両端間は、抵抗Ｒ１を介してリレーＲｙ１（図示しない。）の常閉接点Ｒｙ１−ｂ１，Ｒｙ１−ｂ２に接続され、さらにリレーＲｙ２（図示しない。）の常閉接点Ｒｙ２−ｂ１，Ｒｙ２−ｂ２を介してバッテリ４の両端間に接続されている。そして、リレーＲｙ１の常開接点Ｒｙ１−ａ１，Ｒｙ１−ａ２に、限流用の抵抗Ｒ２を介して太陽電池パネル９が接続されている。
【００２９】
バッテリ４は、ユニット体２内に収容され、リレーＲｙ３（図示しない。）の常開接点Ｒｙ３−ａ１および限流用の抵抗Ｒ３を介して発光ダイオード１１に接続されている。そして、バッテリ４は、リレーＲｙ１の共通接点Ｒｙ１−ｃ１，Ｒｙ１−ｃ２が常閉接点Ｒｙ１−ｂ１，Ｒｙ１−ｂ２に接続されているときに充電装置３から出力された直流電圧により充電され、共通接点Ｒｙ１−ｃ１，Ｒｙ１−ｃ２が常開接点Ｒｙ１−ａ１，Ｒｙ１−ａ２に接続されているときに太陽電池パネル９から出力された直流電圧により充電される。
【００３０】
そして、充電用切換スイッチ５、点灯用切換スイッチ６およびナイトライト用切換スイッチ１３は、制御回路１６に接続されている。制御回路１６は、図示しないＣＰＵ、ＲＯＭ、ＲＡＭを有し、さらに図示しない時計、リレーＲｙ１〜リレーＲｙ３および内部電源などを有して構成されている。
【００３１】
充電用切換スイッチ５がオフであると、リレーＲｙ１の共通接点Ｒｙ１−ｃ１，Ｒｙ１−ｃ２は、常閉接点Ｒｙ１−ｂ１，Ｒｙ１−ｂ２に接続される。したがって、バッテリ４は、充電装置３から充電される。そして、充電用切換スイッチ５をオンにすると、制御回路１６は、リレーＲｙ１のリレーコイル（図示しない。）を付勢して共通接点Ｒｙ１−ｃ１，Ｒｙ１−ｃ２を常開接点Ｒｙ１−ａ１，Ｒｙ１−ａ２に接続させる。これにより、バッテリ４は、太陽電池パネル９から充電される。充電用切換スイッチ５および制御回路１６は、太陽電池パネル９および充電装置３のいずれか一方とバッテリ４とを接続させる充電切換手段を構成している。
【００３２】
点灯用切換スイッチ６がオフであると、制御回路１６は、リレーＲｙ３のリレーコイル（図示しない。）を付勢しなく、常開接点Ｒｙ３−ａ１は開路した状態である。そして、点灯用切換スイッチ６をオンにすると、制御回路１６は、リレーＲｙ３のリレーコイルを付勢する。これにより、常開接点Ｒｙ３−ａ１は閉路して、バッテリ４に抵抗Ｒ３を介して発光ダイオード１１が接続される。発光ダイオード１１は、バッテリ４を電源として点灯する。点灯用切換スイッチ６、制御回路１６および抵抗Ｒ１は、バッテリ４を電源として発光ダイオード１１を点灯させる点灯手段を構成している。
【００３３】
そして、ナイトライト用切換スイッチ１３をオンにすると、制御回路１６は、夜間例えば１７時から翌日の８時までの期間、リレーＲｙ３のリレーコイルを付勢する。これにより、発光ダイオード１１は、夜間、自動的にバッテリ４を電源として点灯する。ナイトライト用切換スイッチ１３をオフにしておくと、発光ダイオード１１は自動点灯しない。
【００３４】
そして、制御回路１６は、リレーＲｙ３のリレーコイルを付勢して常開接点Ｒｙ３−ａ１を閉路するときに、リレーＲｙ２のリレーコイル（図示しない。）を付勢して、常閉接点Ｒｙ２−ｂ１，Ｒｙ２−ｂ２を開路させるように構成されている。すなわち、発光ダイオード１１がバッテリ４を電源として点灯するときに、バッテリ４は、太陽電池パネル９および充電装置３のいずれからも充電されないものである。
【００３５】
次に、本発明の第１の実施形態の作用について説明する。
【００３６】
通常時、ＬＥＤ保安灯１のプラグ栓刃１０，１０をコンセントのプラグ挿入口に挿入する。これにより、プラグ栓刃１０，１０に交流電圧（ＡＣ１００Ｖ）が印加され、バッテリ４は、充電装置３から出力された直流電圧により充電される。図３に、ＬＥＤ保安灯１を専用のコンセント本体１７に取付けている状態を示す。
【００３７】
そして、ナイトライト用切換スイッチ１３をオンにしていると、夜間例えば１７時から翌日の８時の間に、バッテリ４を電源として発光ダイオード１１が点灯する。これにより、ＬＥＤ保安灯１を常夜灯として使用できる。また、夜間に停電したときに、ＬＥＤ保安灯１をコンセントから取外すことにより、携帯電灯として使用することができる。
【００３８】
ナイトライト用切換スイッチ１３をオフにしていると、夜間に、発光ダイオード１１は点灯しない。そして、例えば夜間に停電したときに、ＬＥＤ保安灯１をコンセント本体１７から取外して、点灯用切換スイッチ６をオンにすることにより、バッテリ４を電源として発光ダイオード１１が点灯する。これにより、ＬＥＤ保安灯１を携帯電灯として使用することができる。
【００３９】
そして、地震などの災害時など、停電が復旧しないときは、充電用切換スイッチ５をオンにして、バッテリ４および太陽電池パネル９を接続させる。そして、図４に示すように、太陽電池パネル９を太陽光に曝すようにする。これにより、バッテリ４は、太陽電池パネル９から充電される。そして、点灯用切換スイッチ６をオンにすることにより、発光ダイオード１１が点灯する。
【００４０】
上述したように、ＬＥＤ保安灯１は、ナイトライト用切換スイッチ１３をオンにすることにより、周囲が暗くなったときに常夜灯として使用できる。また、コンセント本体１７から取外して、点灯用切換スイッチ６をオンにすることにより、携帯電灯として使用できる。そして、コンセントに交流電源が供給されないときは、ＬＥＤ保安灯１の太陽電池パネル９を太陽光に曝すことにより、バッテリ４を充電することができて、発光ダイオード１１を点灯させる電源を継続的に確保することができる。すなわち、ＬＥＤ保安灯１は、自身が太陽電池パネル９を有するので、他の充電手段によらず、太陽光の下に置くだけで容易にバッテリ４を充電させることができる。
【００４１】
次に、本発明の第２の実施形態について説明する。
【００４２】
図５ないし図８は、本発明の第２の実施形態を示し、図５はＬＥＤ保安灯の概略斜視図を示し、（ａ）は正面図、（ｂ）は背面図、（ｃ）は開いた状態を示す状態図、図６はＬＥＤ保安灯の回路図、図７はＬＥＤ保安灯をコンセント本体に取り付けた状態図、図８は太陽光による充電方法を示す状態図である。なお、図１ないし図３と同一部分には同一符号を付して説明は省略する。
【００４３】
図５に示すＬＥＤ保安灯１８は、図１に示すユニット体２に代えて、第１のユニット体１９、第２のユニット体２０およびヒンジ２１を有してなるユニット本体２２を有して構成されている。
【００４４】
第１のユニット体１９および第２のユニット体２０は、それぞれ大きさが同一の略箱状に形成されている。そして、第１のユニット体１９の前面１９ａに太陽電池パネル９が配設され、背面１９ｂにコンセントのプラグ挿入口に挿入される一対のプラグ栓刃１０，１０が配設されている。そして、第２のユニット体２０の前面２０ａに複数の発光ダイオード（ＬＥＤ）１１が配設され、背面２０ｂに太陽電池パネル９が配設されている。
【００４５】
第１のユニット体１９の側面１９ｃおよび第２のユニット体２０の側面２０ｃには、ヒンジ２１が取付けられ、図５（ａ）または図５（ｂ）に示すように、第１のユニット体１９の前面１９ａおよび第２のユニット体２０の背面２０ｂが重なり合うようにするとともに、図５（ｃ）に示すように、第１のユニット体１９および第２のユニット体２０を開くことのできるようにしている。すなわち、ヒンジ２１は、第１のユニット体１９および第２のユニット体２０を開閉自在にしている。
【００４６】
そして、第１のユニット体２０の側面２０ｄに充電用切換スイッチ５、点灯用切換スイッチ６およびナイトライト用切換スイッチ１３が配設されている。
【００４７】
第１のユニット体１９の前面１９ａに配設されている太陽電池パネル９（９ａ）および第２のユニット体２０の背面２０ｂに配設されている太陽電池パネル９（９ｂ）は、図６に示すように、互いに並列的に接続されて、バッテリ４に接続されている。太陽電池パネル９ａ，９ｂを接続するリード線２３，２３およびその他のリード線は、図５において図示しないが、ヒンジ２１の中を通って第１のユニット体１９内および第２のユニット体２０内に配線されている。
【００４８】
そして、充電装置３、バッテリ４および制御回路１６などは、第１および第２のユニット体１９，２０内に適宜収容されている。例えば、充電装置３および制御回路１６は、第１のユニット体１９内に収容され、バッテリ４は第２のユニット体２０内に収容されている。以下、図１に示すＬＥＤ保安灯１と同様に構成されている。
【００４９】
ＬＥＤ保安灯１８は、通常時、例えば、図７に示すように、専用のコンセント本体１７に第１のユニット体１９が埋め込まれるようにして取付けられることにより、バッテリ４が充電される。そして、ナイトライト用切換スイッチ１３をオンにしていると、夜間に発光ダイオード１１が点灯して、常夜灯として使用できる。そして、停電したときに、ＬＥＤ保安灯１８をコンセント本体１７から取外すことにより、携帯電灯として使用できる。
【００５０】
そして、地震などの災害時などにおいて、停電が復旧しないときは、図８に示すように、第１および第２のユニット体１９，２０を開いて、太陽電池パネル９ａ，９ｂを太陽光に曝すようにする。これにより、バッテリ４は、太陽電池パネル９ａ，９ｂから充電され、発光ダイオード１１が点灯する電源が確保される。ＬＥＤ保安灯１８は、自身が太陽電池パネル９ａ，９ｂを有するので、他の充電手段によらず、太陽光の下に置くだけで、容易にバッテリ４を継続して充電させることができる。
【００５１】
次に、本発明の第３の実施形態について説明する。
【００５２】
図９ないし図１２は、本発明の第３の実施形態を示し、図９はコンセント本体に取付けられたＬＥＤ保安灯の概略斜視図を示し、（ａ）はコンセントを覆った状態図、（ｂ）はコンセントを露出させた状態図、図１０はＬＥＤ保安灯の回路図、図１１はＬＥＤ保安灯の取外しを示す過程図、図１２は太陽光による充電方法を示す状態図である。なお、図１および図２と同一部分には同一符号を付して説明は省略する。
【００５３】
図９および図１０において、ＬＥＤ保安灯２４は、カバー体２５、蓄電手段としてのバッテリ４、手動点灯手段を構成する点灯用切換スイッチ６、自動点灯手段を構成するナイトライト用切換スイッチ１３および明るさセンサ２６を有して構成されている。
【００５４】
カバー体２５は、略箱状に形成され、前面２５ａに太陽電池パネル９および明るさセンサ２６が配設され、下面２５ｂに複数の発光ダイオード（ＬＥＤ）１１が配設されている。発光ダイオード１１は、透光性の樹脂、例えばエポキシ樹脂１２で覆われている。明るさセンサ２６は、例えばＣｄＳからなり、カバー体２５の周囲の明るさを検出する。また、背面２５ｃに図示しない点灯用切換スイッチ６およびナイトライト用切換スイッチ１３が配設されている。
【００５５】
そして、カバー体２５は、上側端部側２５ｄに、コンセント２７を配設しているコンセント本体２８の被係止部２９に着脱可能に係止される係止部３０が形成されている。カバー体２５は、係止部３０が被係止部２９に係止されることにより、図９（ａ）に示すように、背面２５ｃがコンセント２７を覆うものである。
【００５６】
バッテリ４は、カバー体２５内に収容され、リレーＲｙ３（図示しない。）の常開接点Ｒｙ３−ａ１および限流用の抵抗Ｒ３を介して発光ダイオード１１に接続されている。そして、バッテリ４は、リレーＲｙ２の常閉接点Ｒｙ２−ｂ１，Ｒｙ２−ｂ２および抵抗Ｒ２を介して太陽電池パネル９に接続され、太陽電池パネル９から充電されるようにしている。
【００５７】
そして、点灯用切換スイッチ６、ナイトライト用切換スイッチ１３および明るさセンサ２６が制御回路１６に接続されている。制御回路１６は、ナイトライト用切換スイッチ１３がオンされているときに、明るさセンサ２６が検出する照度（明るさ）が所定値以下になると、リレーＲｙ３の常開接点Ｒｙ３−ａ１を閉路して、発光ダイオード１１を点灯させる。
【００５８】
ナイトライト用切換スイッチ１３、明るさセンサ２６、制御回路１６、リレーＲｙ３および抵抗Ｒ３は、明るさセンサ２６が所定の明るさ以下を検出したときに、バッテリ４を電源として発光ダイオード１１を点灯させる自動点灯手段を構成している。また、点灯用切換スイッチ６、制御回路１６、リレーＲｙ３および抵抗Ｒ３は、バッテリ４を電源として発光ダイオード１１を点灯させる手動点灯手段を構成している。その他は、図１に示すＬＥＤ保安灯１の構成と同様に形成されている。
【００５９】
カバー体２５の係止部３０には、図１１に示すように、溝３１が形成されている。この溝３１にコンセント本体２８の被係止部２９の軸３２が挿入されるようにすることにより、カバー体２５の係止部３０がコンセント本体２８の被係止部２９に係止される。
【００６０】
カバー体２５の係止部３０がコンセント本体２８の被係止部２９に係止されると、図１１（ａ）に示すように、カバー体２５の背面２５ｃがコンセント本体２８のコンセント２７を覆うようになる。そして、カバー体２５がコンセント本体２８から取外すには、図１１（ｂ）に示すように、カバー体２５の下側端部側２５ｅを上方に持ち上げて、図１１（ｃ）に示すように、カバー体２５を水平方向にする。さらに、カバー体２５の下側端部側２５ｅを上方に持ち上げることにより、図１１（ｄ）に示すように、上側端部側２４ｄが下方に移動して、カバー体２５の係止部３０とコンセント本体２８の被係止部２９の係止が解除される。これにより、カバー体２５は、コンセント本体２８から取外される。
【００６１】
次に、本発明の第３の実施形態の作用について説明する。
【００６２】
コンセント本体２８は、例えば屋外に配設されるものである。そして、ＬＥＤ保安灯２４がコンセント本体２８に取付けられていると、カバー体２５の背面２５ｃがコンセント２７を覆うので、カバー体２５は、防滴プレートしての役割を果たすことができる。
【００６３】
そして、カバー体２５の前面２５ａに配設されている太陽電池パネル９は、図１２に示すように、太陽光に曝され、バッテリ４を充電する。そして、ナイトライト用切換スイッチ１３をオンにしていると、明るさセンサ２６が所定の明るさ以下を検出したときに、バッテリ４を電源として発光ダイオード１１が点灯する。これにより、周囲が暗くなっても、コンセント本体２８の位置を容易に視認させることができる。
【００６４】
そして、停電や地震などの災害時に、カバー体２５をコンセント本体２８から取り外して、点灯用切換スイッチ６をオンにすることにより、発光ダイオード１１を点灯させることができて、ＬＥＤ保安灯２４を携帯電灯として使用することができる。そして、バッテリ４から電源が供給されなくなったときに、図１２に示すように、太陽電池パネル９を太陽光に曝すことにより、バッテリ４を充電することができて、発光ダイオード１１を点灯させる電源を継続的に確保することができる。すなわち、ＬＥＤ保安灯２４は、自身が太陽電池パネル９を有するので、他の充電手段によらず、太陽光の下に置くだけで容易にバッテリ４を充電させることができる。
【００６５】
次に、本発明の第４の実施形態について説明する。
【００６６】
図１３は、本発明の第４の実施形態を示すＬＥＤ保安灯の概略斜視図である。なお、図９と同一部分には同一符号を付して説明は省略する。
【００６７】
図１３に示すＬＥＤ保安灯３３は、図９に示すＬＥＤ保安灯２４において、明るさセンサ２６が下側開口を有する遮光フード３４により覆われるようにしたものである。これにより、明るさセンサ２６に対して上方からの例えば照明光が遮断されて、明るさセンサ２６は、自然光による明るさを検出する。
【００６８】
そして、ＬＥＤ保安灯３３は、周囲の明るさが暗くなったときに、発光ダイオード１１を点灯させることができて、コンセント本体２８の位置を視認させることができる。
【図面の簡単な説明】
【００６９】
【図１】本発明の第１の実施形態を示すＬＥＤ保安灯の概略斜視図を示し、（ａ）は正面図、（ｂ）は背面図。
【図２】同じく、ＬＥＤ保安灯の回路図。
【図３】同じく、ＬＥＤ保安灯をコンセント本体に取り付けた状態図。
【図４】同じく、太陽光による充電方法を示す状態図。
【図５】本発明の第２の実施形態を示すＬＥＤ保安灯の概略斜視図を示し、（ａ）は正面図、（ｂ）は背面図、（ｃ）は開いた状態を示す状態図。
【図６】同じく、ＬＥＤ保安灯の回路図。
【図７】同じく、ＬＥＤ保安灯をコンセント本体に取り付けた状態図。
【図８】同じく、太陽光による充電方法を示す状態図。
【図９】本発明の第３の実施形態を示すコンセント本体に取付けられたＬＥＤ保安灯の概略斜視図を示し、（ａ）はコンセントを覆った状態図、（ｂ）はコンセントを露出させた状態図。
【図１０】同じく、ＬＥＤ保安灯の回路図
【図１１】同じく、ＬＥＤ保安灯の取外しを示す過程図。
【図１２】同じく、太陽光による充電方法を示す状態図。
【図１３】本発明の第４の実施形態を示すＬＥＤ保安灯の概略斜視図。
【符号の説明】
【００７０】
１，１８，２４，３３…ＬＥＤ保安灯
２…ユニット体
３…充電装置
４…蓄電手段としてのバッテリ
５…充電切換手段としての充電用切換スイッチ
６…点灯手段（手動点灯手段）を構成する点灯用切換スイッチ
２２…ユニット本体
２５…カバー体
２６…自動点灯手段を構成する明るさセンサ
３４…遮光フード
【図１】
2006280086.tif 000003
【図２】
2006280086.tif 000004
【図３】
2006280086.tif 000005
【図４】
2006280086.tif 000006
【図５】
2006280086.tif 000007
【図６】
2006280086.tif 000008
【図７】
2006280086.tif 000009
【図８】
2006280086.tif 000010
【図９】
2006280086.tif 000011
【図１０】
2006280086.tif 000012
【図１１】
2006280086.tif 000013
【図１２】
2006280086.tif 000014
【図１３】
2006280086.tif 000015